(57)【要約】      （修正有）【課題】電子機器に接続されている通信端末における着信を、通信端末の利用者の意図に応じて報知する。【解決手段】携帯電話機１００とテレビ１５０とは、ケーブル１９０によって接続されている。テレビ１５０には、ヘッドホン４００が接続されている。携帯電話機１００がマナーモードに設定されている場合において携帯電話機１００が電話の着信を受けると、携帯電話機１００は、着信を報知するメッセージ４１０を表示するとともに、ケーブル１９０を介してテレビ１５０に着信を通知する。テレビ１５０は、画面にメッセージ４２０を表示して着信を報知するとともに、発呼音をヘッドホン４００に出力する。【選択図】図４
2013090081.tif 000002
【特許請求の範囲】
【請求項１】
電子機器に接続可能な情報端末であって、
前記情報端末に対する入力操作を受け付けるための入力手段と、
前記電子機器に接続されて前記電子機器との間でデータを通信するためのインターフェイス手段と、
前記情報端末に対する所定の割り込みを報知するための報知手段と、
前記報知手段による報知を抑制するマナーモードが前記情報端末において設定されているか否かを示すマナーモード設定と、前記電子機器における音声出力の設定とに基づいて、前記情報端末に対する所定の割り込みに応じて、前記所定の割り込みによる報知の方法を切り替えるための制御手段とを備える、情報端末。
【請求項２】
前記電子機器における音声の出力先と、前記マナーモード設定と、に基づいて予め設定された報知の方法とを関連付けて格納するための記憶手段をさらに備え、
前記制御手段は、前記所定の割り込みを検知すると、前記報知の方法にしたがって、前記電子機器または前記情報端末に前記割り込みを通知させる、請求項１に記載の情報端末。
【請求項３】
前記制御手段は、
前記電子機器が前記情報端末に接続されたことに基づいて、前記電子機器において設定されている音声の出力先を前記電子機器に問い合わせ、
前記問い合わせに対する前記電子機器による応答に基づいて、前記音声の出力先を前記記憶手段に格納し、
前記入力手段を介した入力操作に基づいて選択される通知の方法を、前記音声の出力先に関連付ける、請求項２に記載の情報端末。
【請求項４】
前記インターフェイス手段は、前記電子機器における前記音声の出力先が変更されたことを示す信号を前記電子機器から受信し、
前記制御手段は、前記電子機器から前記信号を受信したことを検知すると、前記変更後の出力先について関連付けられた通知の方法にしたがって、前記電子機器または前記情報端末に前記割り込みを通知させる、請求項２に記載の情報端末。
【請求項５】
情報端末に接続可能な電子機器であって、
映像を表示するための表示手段と、
スピーカと、
音声をヘッドホンに出力するための端子と、
前記情報端末とデータを通信するためのインターフェイス手段と、
前記情報端末が前記電子機器に接続されていることに基づいて、前記電子機器における音声の出力先を示すデータを、前記情報端末に送信するための制御手段と、
前記情報端末から送られる命令に基づいて、前記情報端末に対する所定の割り込みを報知するための報知手段とを備える、電子機器。
【請求項６】
前記制御手段は、前記音声の出力先が変更されたことを検知すると、変更後の出力先を示すデータを、前記電子機器に送信する、請求項５に記載の電子機器。
【請求項７】
前記制御手段は、前記電子機器において設定されている前記音声の出力先の問い合わせを前記情報端末から受信すると、前記音声の出力先を前記情報端末に返信する、請求項５または６に記載の電子機器。
【請求項８】
請求項１〜４のいずれかに記載の情報端末と、請求項５〜７のいずれかに記載の電子機器とを備える、システム。
【請求項９】
電子機器に接続可能な情報端末を制御するためのプログラムであって、
前記プログラムは、前記情報端末に、
前記情報端末に対する入力操作を受け付けるステップと、
前記電子機器との間でデータを通信するステップと、
報知を抑制するマナーモードが前記情報端末において設定されているか否かを示すマナーモード設定と、前記電子機器における音声出力の設定とに基づいて、前記情報端末に対する割り込みに応じて、前記割り込みの通知の方法を切り替えるステップとを実行させる、プログラム。
【請求項１０】
情報端末に接続可能な電子機器を制御するためのプログラムであって、
前記プログラムは、前記電子機器に、
前記情報端末とデータを通信するステップと、
前記情報端末が前記電子機器に接続されていることに基づいて、前記電子機器における音声の出力先を示すデータを、前記情報端末に送信するステップと、
前記情報端末から送られる命令に基づいて、前記情報端末に対する所定の割り込みを報知するステップとを実行させる、プログラム。
【発明の詳細な説明】
【技術分野】
【０００１】
本発明は、割り込みの報知に関し、より特定的には、外部に接続された機器に割り込みを報知できる情報端末、および、情報端末への割り込みを報知できる電子機器に関する。
【背景技術】
【０００２】
情報端末の多機能化に伴って、通話機能の他に、映像・音響出力機能としてたとえば、テレビ放送受信・録画・再生機能、音楽再生機能、インターネット接続機能などを備えたものが普及している。また、それらの機能を動作させる際に、音・映像を情報端末のみによって再生するのではなく、情報端末と接続したテレビ、パソコン等の外部機器によって再生する技術が知られている（たとえば、特許文献１参照）。
【０００３】
また、マナーモード機能を有効にしている際に、上述の外部機器と接続している状態で着信があった場合、着信を知らせる音を外部機器に出力する技術が知られている（たとえば、特許文献２参照）。
【先行技術文献】
【特許文献】
【０００４】
【特許文献１】特開２０１０−１９３２４７号公報
【特許文献２】特開２００９−１２４２７３号公報
【発明の概要】
【発明が解決しようとする課題】
【０００５】
電子機器に接続されている通信端末が信号を受信した場合、その受信の報知の態様として、電子機器における音声の出力先の設定に応じた報知が必要とされる。しかしながら、従来の技術によれば、電子機器における音声の出力先の設定に応じて受信を報知することができなかった。
【０００６】
本発明は、上述のような問題点を解決するためになされたものであって、その目的は、接続されている電子機器における音声の出力先の設定に応じて、当該電子機器に受信を報知させることができる情報端末を提供することである。
【０００７】
他の目的は、接続されている情報端末における受信を報知できる電子機器を提供することである。
【０００８】
他の目的は、接続されている電子機器における音声の出力先の設定に応じて、当該電子機器に受信を報知させるように情報端末を制御するためのプログラムを提供することである。
【０００９】
さらに他の目的は、接続されている情報端末における受信を報知できるように電子機器を制御するためのプログラムを提供することである。
【課題を解決するための手段】
【００１０】
一実施の形態に従うと、電子機器に接続可能な情報端末は、情報端末に対する入力操作を受け付けるための入力手段と、電子機器に接続されて電子機器との間でデータを通信するためのインターフェイス手段と、情報端末に対する所定の割り込みを報知するための報知手段と、報知手段による報知を抑制するマナーモードが情報端末において設定されているか否かを示すマナーモード設定と、電子機器における音声出力の設定とに基づいて、情報端末に対する所定の割り込みに応じて、所定の割り込みによる報知の方法を切り替えるための制御手段とを備える。
【００１１】
好ましくは、情報端末は、電子機器における音声の出力先と、マナーモード設定と、に基づいて予め設定された報知の方法とを関連付けて格納するための記憶手段をさらに備える。制御手段は、所定の割り込みを検知すると、報知の方法にしたがって、電子機器または情報端末に割り込みを通知させる。
【００１２】
好ましくは、制御手段は、電子機器が情報端末に接続されたことに基づいて、電子機器において設定されている音声の出力先を電子機器に問い合わせ、問い合わせに対する電子機器による応答に基づいて、音声の出力先を記憶手段に格納し、入力手段を介した入力操作に基づいて選択される通知の方法を、音声の出力先に関連付ける。
【００１３】
好ましくは、インターフェイス手段は、電子機器における音声の出力先が変更されたことを示す信号を電子機器から受信する。制御手段は、電子機器から信号を受信したことを検知すると、変更後の出力先について関連付けられた通知の方法にしたがって、電子機器または情報端末に割り込みを通知させる。
【００１４】
他の実施の形態に従うと、情報端末に接続可能な電子機器は、映像を表示するための表示手段と、スピーカと、音声をヘッドホンに出力するための端子と、情報端末とデータを通信するためのインターフェイス手段と、情報端末が電子機器に接続されていることに基づいて、電子機器における音声の出力先を示すデータを、情報端末に送信するための制御手段と、情報端末から送られる命令に基づいて、情報端末に対する所定の割り込みを報知するための報知手段とを備える。
【００１５】
好ましくは、制御手段は、音声の出力先が変更されたことを検知すると、変更後の出力先を示すデータを、電子機器に送信する。
【００１６】
好ましくは、制御手段は、電子機器において設定されている音声の出力先の問い合わせを情報端末から受信すると、音声の出力先を情報端末に返信する。
【００１７】
他の実施の形態に従うと、上記のいずれかに記載の情報端末と、上記のいずれかに記載の電子機器とを備える、システムが提供される。
【００１８】
他の実施の形態に従うと、電子機器に接続可能な情報端末を制御するためのプログラムが提供される。このプログラムは、情報端末に、情報端末に対する入力操作を受け付けるステップと、電子機器との間でデータを通信するステップと、報知を抑制するマナーモードが情報端末において設定されているか否かを示すマナーモード設定と、電子機器における音声出力の設定とに基づいて、情報端末に対する割り込みに応じて、割り込みの通知の方法を切り替えるステップとを実行させる。
【００１９】
さらに、他の実施の形態に従うと、情報端末に接続可能な電子機器を制御するためのプログラムが提供される。このプログラムは、電子機器に、情報端末とデータを通信するステップと、情報端末が電子機器に接続されていることに基づいて、電子機器における音声の出力先を示すデータを、情報端末に送信するステップと、情報端末から送られる命令に基づいて、情報端末に対する所定の割り込みを報知するステップとを実行させる。
【発明の効果】
【００２０】
ある実施の局面において、情報端末と電子機器とが接続されている状態において情報端末における所定の割り込みの報知方法が、情報端末の利用者の期待する方法に切り替わるため、利用者の利便性が向上する。
【００２１】
この発明の上記および他の目的、特徴、局面および利点は、添付の図面と関連して理解されるこの発明に関する次の詳細な説明から明らかとなるであろう。
【図面の簡単な説明】
【００２２】
【図１】携帯電話機１００およびテレビ１５０の各ハードウェア構成を表わすブロック図である。
【図２】携帯電話機１００とテレビ１５０とが実行する一連の処理の一部を表わすシーケンスチャートである。
【図３】メモリ１１３におけるデータの格納の一態様を概念的に表わす図である。
【図４】テレビ１５０が着信を報知する態様を表わす図である。
【図５】携帯電話機１００とテレビ１５０とが実行する一連の処理の一部を表わすシーケンスチャートである。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
［ハードウェア構成］
図１を参照して、本発明の実施の形態に係る携帯電話機１００とテレビ１５０の構成について説明する。図１は、携帯電話機１００およびテレビ１５０の各ハードウェア構成を表わすブロック図である。携帯電話機１００は、ＨＤＭＩ（High-Definition  Multimedia  Interface）ケーブル１９０によってテレビ１５０に接続されている。なお、以下の説明では、携帯電話機１００が情報端末の一例として示されているが、情報端末は、携帯電話機１００に限られない。たとえば、情報端末は、スマートフォン、タブレットＰＣ（Personal  Computer）、デジタルカメラ、ゲーム端末等であってもよい。また、情報端末に接続可能な電子機器は、テレビ１５０に限られず、モニタ装置、ラップトップ型コンピュータ、ノートブック型コンピュータ等であってもよい。
【００２５】
携帯電話機１００は、ＣＰＵ（Central  Processing  Unit）１１０と、ディスプレイ１１１と、複数のキー１１２と、メモリ１１３と、スピーカ１１４と、イヤーピース端子１１５と、モータ１１７と通信部１１８と、外部接続端子１１６とを備える。
【００２６】
ＣＰＵ１１０は、携帯電話機１００に対して与えられる命令に基づいて、あるいは、予め定められた条件が成立することに基づいて、予め規定された処理を実行し、携帯電話機１００に当該命令に応じた動作を実行させる。
【００２７】
ディスプレイ１１１は、メモリ１１３に格納されているデータに基づいて、文字、画像、動画などを表示する。ディスプレイ１１１は、液晶モニタ、有機ＥＬ（Electro  Luminescence）モニタ等によって実現される。
【００２８】
複数のキー１１２の各々は、携帯電話機１００に対して与えられる命令の入力を受け付け、当該入力に応じた信号をＣＰＵ１１０に送出する。複数のキー１１２は、テンキーその他の物理的なスイッチとして、または、ディスプレイ１１１がタッチパネル式の表示装置である場合におけるソフトウェアキーとして実現される。
【００２９】
メモリ１１３は、携帯電話機１００に対して与えられたデータ、または、ＣＰＵ１１０によって生成されたデータを格納する。メモリ１１３は、揮発メモリまたは不揮発メモリによって構成される。
【００３０】
スピーカ１１４は、ＣＰＵ１１０の命令に従って生成された信号に基づき音声を出力する。音声は、音楽、電話の呼出音などを含む。イヤーピース端子１１５は、ヘッドホン（図示しない）の装着を受け付け、音声信号を出力する。
【００３１】
モータ１１７は、ＣＰＵ１１０から送られる信号に基づいて、バイブレータ（図示しない）を予め設定された周波数で振動させる。バイブレータは、たとえば電話の着信、メールの受信、または、目覚まし、もしくはスケジュールアラームその他の予め定められたタイマの作動などを報知するために用いられる。
【００３２】
通信部１１８は、基地局と通信セッションを形成することにより、他の携帯電話機、インターネットに接続されている他の情報通信装置と通信する。
【００３３】
外部接続端子１１６は、ＨＤＭＩケーブル１９０その他の通信ケーブルの装着を受け付けて、通信ケーブルを介してデータを通信する。
【００３４】
ある局面において、ＣＰＵ１１０は、通信の着信報知を抑制するマナーモードが携帯電話機１００において設定されているか否かを示すマナーモード設定と、テレビ１５０における音声出力の設定とに基づいて、携帯電話機１００に対する割り込みに応じて、当該割り込みの通知の方法を切換えるように構成されている。ここで、割り込みは、電話の着信、メールの受信、または、目覚まし、もしくはスケジュールアラームその他の予め定められたタイマの作動などを含む。割り込みは、電話の着信やメールの受信のように、割り込みのタイミングが未知なものと、目覚ましまたはタイマの作動のように、割り込みのタイミングが予め定められているものとを含む。
【００３５】
他の局面において、メモリ１１３は、テレビ１５０における音声の出力先（たとえば、スピーカ１６４、またはヘッドホン端子１６５）と、当該マナーモード設定とに基づいて予め設定された通知の方法とを関連付けて格納する。メモリ１１３におけるデータの格納の態様は、後述する。ＣＰＵ１１０は、割り込みを検知すると、予め設定された通知の方法に従って、テレビ１５０または携帯電話機１００に当該割り込みを通知させる。
【００３６】
他の局面において、ＣＰＵ１１０は、テレビ１５０が携帯電話機１００に接続されたことに基づいて、テレビ１５０において設定されている音声の出力先をテレビ１５０に問い合わせる。テレビ１５０は、その問い合わせに基づき、テレビ１５０において設定されている音声の出力先（たとえば、スピーカ１６４、またはヘッドホン端子１６５）を携帯電話機１００に返す。ＣＰＵ１１０は、テレビ１５０からそのような問い合わせに対する回答を受信すると、当該音声の出力先をメモリ１１３に格納する。さらに、ＣＰＵ１１０は、複数のキー１１２を介したユーザの入力操作に基づいて選択される通知の方法を、上記音声の出力先に関連付ける。
【００３７】
さらに他の局面において、外部接続端子１１６は、テレビ１５０における音声の出力先が変更されたことを示す信号を、テレビ１５０から受信する。ＣＰＵ１１０は、テレビ１５０からその信号を受信したことを検知すると、変更後の出力先について関連付けられた通知の方法に従って、テレビ１５０または携帯電話機１００に割り込みを通知させる。
【００３８】
図１を再び参照して、テレビ１５０は、ＣＰＵ１６０と、ディスプレイ１６１と、キー１６２と、メモリ１６３と、スピーカ１６４と、ヘッドホン端子１６５と、外部接続端子１６６と、受光部１６７とを備える。
【００３９】
ＣＰＵ１６０は、テレビ１５０の動作を制御する。ディスプレイ１６１は、たとえば液晶パネルまたはプラズマパネルまたは有機ＥＬパネルによって構成される。キー１６２は、テレビ１５０に対する命令の入力を受け付ける。メモリ１６３は、テレビ１５０に予め設定された動作を実行させるための制御データ、携帯電話機１００その他の情報端末から受信したデータを格納する。
【００４０】
スピーカ１６４は、チューナ１６８から信号処理によって分離された音声信号に基づき音声を出力する。ヘッドホン端子１６５は、音声の出力先として接続されているヘッドホン（図示しない）に音声を出力する。受光部１６７は、テレビ１５０を作動させるためにリモコン端末（図示しない）から発信される赤外線信号を受信する。チューナ１６８は、アンテナ（図示しない）から送られる信号に基づいてＣＰＵ１６０によって指定されたチャンネルを選局し、映像信号および音声信号を出力する。
【００４１】
外部接続端子１６６は、ＨＤＭＩケーブル１９０その他の通信ケーブルの装着を受け付け、通信ケーブルを介して他の情報通信装置（たとえば携帯電話機１００）とデータを通信する。
【００４２】
ある局面において、ＣＰＵ１６０は、携帯電話機１００がテレビ１５０に接続されていることに基づいて、テレビ１５０における音声の出力先を示すデータを、携帯電話機１００に送信するように構成される。また、ＣＰＵ１６０は、携帯電話機１００から送られる命令に基づいて、携帯電話機１００に対する割り込みを報知するように構成される。報知の態様は、たとえばディスプレイ１６１における報知を示すメッセージの表示、スピーカ１６４またはヘッドホン端子１６５に対する割り込みを報知するための音声信号の出力などを含む。
【００４３】
他の局面において、ＣＰＵ１６０は、音声の出力先が変更されたことを検知すると、変更後の出力先を示すデータを、携帯電話機１００に送信する。
【００４４】
他の局面において、ＣＰＵ１６０は、テレビ１５０において設定されている音声の出力先の問い合わせを携帯電話機１００から受信すると、当該音声の出力先を携帯電話機１００に返信する。
【００４５】
［制御構造］
図２を参照して、本発明の実施の形態に係る携帯電話機１００とテレビ１５０の制御構造について説明する。図２は、携帯電話機１００とテレビ１５０とが実行する一連の処理の一部を表わすシーケンスチャートである。
【００４６】
ステップＳ２１０にて、携帯電話機１００とテレビ１５０とは、ＨＤＭＩケーブル１９０によって互いに接続される。
【００４７】
ステップＳ２１５にて、携帯電話機１００のＣＰＵ１１０は、携帯電話機１００がテレビ１５０に接続されたことを検知すると、音声出力の方法をテレビ１５０に問い合わせる。
【００４８】
ステップＳ２２０にて、テレビ１５０のＣＰＵ１６０は、携帯電話機１００から問い合わせを受けたことを検知すると、テレビ１５０における現在の音声出力の設定を確認し、その設定の内容を携帯電話機１００に通知する。設定の内容は、たとえば、音声の出力先がスピーカであるか、ヘッドホンであるかあるいはミュート（音声出力しない）であるかを含む。
【００４９】
ステップＳ２２５にて、ＣＰＵ１１０は、映像出力の設定の有無を、テレビ１５０に問い合わせる。
【００５０】
ステップＳ２３０にて、テレビ１５０のＣＰＵ１６０は、その問い合わせに応答して、ディスプレイ１６１に対する映像出力の有無を通知する。
【００５１】
ステップＳ２３５にて、ＣＰＵ１１０は、テレビ１５０から受信した音声出力の方法、および、映像出力の有無を示すデータを、メモリ１１３に保存する。
【００５２】
ステップＳ２４０にて、ＣＰＵ１１０は、通信部１１８から送られる信号に基づいて、携帯電話機１００が着信を受けたことを検知する。なお、ここでは、割り込みの一例として着信が示されているが、割り込みの例は、電話の着信に限られず、メールの受信、予め設定されたタイマ時刻の到来などを含み得る。
【００５３】
ステップＳ２４５にて、ＣＰＵ１１０は、下記の状況に応じて、当該着信の報知方法を決定する。当該状況は、たとえば、１）携帯電話機１００のマナーモードがオンになっているか否か、２）テレビ１５０の映像表示の設定が有効か無効か、または、３）テレビ１５０の音声出力の方法が、スピーカであるかヘッドホンであるかあるいはミュートであるか、を含む。他の局面において、他の状況が設定されてもよい。
【００５４】
ステップＳ２５０にて、ＣＰＵ１１０は、テレビ１５０に対して着信を報知するための映像信号を送信する。テレビ１５０は、外部から受信した映像を表示するモード（たとえばピクチャ・イン・ピクチャ）が有効に設定されている場合には、携帯電話機１００から受信した信号に基づき、着信を報知するための映像をディスプレイ１６１の表示領域の一部に表示する。なお、表示の態様は、ピクチャ・イン・ピクチャに限られず、外部から受信された信号に基づく映像が、表示中の他の映像に隣接する態様で表示されてもよい。この場合、当該他の映像の大きさは小さくなる。
【００５５】
ステップＳ２５５にて、ＣＰＵ１１０は、着信を報知するための音声信号をＨＤＭＩケーブル１９０を介してテレビ１５０に送信する。テレビ１５０において、音声の出力先がスピーカまたはヘッドホンに設定されている場合には、その設定に応じて音声が出力される。
【００５６】
ステップＳ２６０にて、携帯電話機およびテレビ１５０は、各々において設定された報知の態様に基づいて、電話の着信を報知する。たとえば、携帯電話機１００のマナーモードがオンに設定されている場合には、携帯電話機１００は、着信を報知しない。この場合、テレビ１５０において報知がオンに設定されているとき、テレビ１５０は、その設定に応じて携帯電話機１００が電話の着信を受けたことを報知する。たとえば、前述のように、テレビ１５０は、ディスプレイ１６１に着信を示すメッセージもしくは画像を表示し、または、スピーカ１６４もしくはヘッドホンを介して着信の音声を出力する。
【００５７】
［データ構造］
図３を参照して、本発明の実施の形態に係る携帯電話機１００のデータ構造について説明する。図３は、メモリ１１３におけるデータの格納の一態様を概念的に表わす図である。メモリ１１３は、データ項目として、外部接続機器の音声の出力先３１０と、外部接続機器の映像の有無３２０と、マナーモードがオフに設定されている場合の動作３３０と、マナーモードがオンに設定されている場合の動作３４０とを規定している。
【００５８】
たとえば、ある局面において、音声の出力先がスピーカであって映像の出力がありに設定されている場合、マナーモードがオフであるとき携帯電話機１００において着信を通知し、マナーモードがオンであるとき、テレビ１５０のディスプレイ１６１において着信を通知するように設定され得る。
【００５９】
また、他の局面において、音声の出力先がスピーカであり、映像の出力がないと設定されている場合には、マナーモードがオフに設定されるとき、携帯電話機１００において着信を通知し、一方、マナーモードがオンに設定されている場合にも携帯電話機１００において着信を通知するように設定され得る。
【００６０】
また、他の局面として、音声の出力先がヘッドホンであり映像の出力がありと設定されている場合において、マナーモードがオフに設定されると、テレビ１５０において映像と音声で携帯電話機１００の着信を通知し、また、マナーモードがオンに設定されている場合にも、テレビ１５０の映像と音声で着信を通知するように設定される。
【００６１】
さらに他の局面として、音声の出力先がヘッドホンであり映像の出力がないと設定されている場合には、マナーモードがオフであるとき、テレビ１５０において音声で着信を通知し、またマナーモードがオンであるときも、テレビ１５０で音声を用いて着信を通知するように設定される。
【００６２】
［着信の報知］
図４を参照して、本発明の実施の形態に係る携帯電話機１００とテレビ１５０との使用態様について説明する。図４は、テレビ１５０が着信を報知する態様を表わす図である。
【００６３】
ある局面において、携帯電話機１００は、ＨＤＭＩケーブルを介してテレビ１５０に接続されている。また、テレビ１５０には、ヘッドホン４００が接続されている。このような場合において、携帯電話機１００が電話の着信を検知すると、携帯電話機１００のＣＰＵ１１０は、着信を報知するメッセージをディスプレイ１１１に表示すると共に、着信を受けたことをテレビ１５０に報知する。
【００６４】
テレビ１５０は、音声の出力先がヘッドホン４００に設定されている場合には、携帯電話機１００から受信した信号に基づき、着信を通知する音声（たとえば、発呼音または通知のためのメロディ音）をヘッドホン４００に送信する。ヘッドホン４００を使用してテレビ１５０を視聴しているユーザは、携帯電話機１００の着信を知ることができる。また、他の局面において、テレビ１５０は、ディスプレイ１６１に、着信を通知するメッセージ４２０を表示し得る。
【００６５】
［制御構造］
図５を参照して、他の局面における携帯電話機１００とテレビ１５０との動作について説明する。図５は、携帯電話機１００とテレビ１５０とが実行する一連の処理の一部を表わすシーケンスチャートである。
【００６６】
ステップＳ５１０にて、携帯電話機１００とテレビ１５０とは、ＨＤＭＩケーブル１９０を介して互いに接続される。
【００６７】
ステップＳ５２０にて、テレビ１５０のＣＰＵ１６０は、ヘッドホン４００がヘッドホン端子１６５に挿入されたこと、あるいは、ヘッドホン４００がヘッドホン端子１６５から抜かれたことを検知する。
【００６８】
ステップＳ５３０にて、ＣＰＵ１６０は、ステップＳ５２０における検知の結果に基づいて、テレビ１５０における音声出力の方法の変更を通知する。変更の内容は、たとえば音声の出力先がスピーカ１６４に変更されたか否か、あるいはヘッドホン端子１６５に接続されるヘッドホン４００に音声が出力されるか否か、あるいは音声が出力されないかを含む。
【００６９】
ステップＳ５４０にて、ＣＰＵ１６０は、映像出力のデバイスがオフされたあるいはオンされたことを検知する。ここで、検知の内容は、たとえばテレビ１５０の電源がオフされたこと、オンされたことあるいは映像の入力ソースの切換によりディスプレイ１６１に映像が表示されなくなったことあるいはされるようになったことを含む。
【００７０】
ステップＳ５５０にて、ＣＰＵ１６０は、携帯電話機１００に対して、映像出力の有無の変更を通知する。
【００７１】
ステップＳ５６０にて、携帯電話機１００のＣＰＵ１１０は、テレビ１５０から受信した信号に基づいて、音声出力の変更あるいは映像出力の変更の内容をメモリ１１３に格納する。
【００７２】
以上のようにして、本実施の形態によると、携帯電話機１００およびテレビ１５０は、それらの利用者の意図を反映させた報知を実現できる。
【００７３】
たとえば、従来の技術のように、携帯電話機１００がテレビ１５０に接続されている状態で、かつ、テレビ１５０の音声が、ヘッドホン４００に出力されていたときに、携帯電話機１００が着信を受けた場合には、特定の方法で着信は報知される。たとえば、携帯電話機１００のスピーカ１１４、モータ１１７による振動機能、テレビ１５０のスピーカ１６４、ヘッドホン端子１６５に接続されるヘッドホン４００のいずれかを用いて、着信が報知される。この場合、着信が、携帯電話機１００のスピーカ１１４、あるいは、モータ１１７による振動機能にて報知された場合、利用者は、ヘッドホン４００を装着している場合が多いため、携帯電話機１００による報知に気づかない可能性がある。あるいは、携帯電話機１００における着信が、テレビ１５０のスピーカ１６４を用いて報知された場合、スピーカ１６４が着信音を発すると、携帯電話機１００の報知方法として、いわゆるマナーモード（音声を出力しないモード）が設定されていた場合、利用者の意図に反した報知が行なわれることになる。
【００７４】
これに対して、本実施の形態に係る携帯電話機１００およびテレビ１５０によると、携帯電話機１００がテレビ１５０に接続された場合に、携帯電話機１００は、テレビ１５０に問い合わせて、テレビ１５０における音声出力の方法、映像出力の有無を確認する。その後、携帯電話機１００は、電話の着信やメールの受信を検知すると、確認の結果に応じて、当該着信や受信をテレビ１５０に報知させる。このようにすると、利用者の意図に沿った報知が実現される。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７６】
本発明は、携帯電話機、スマートフォン、タブレットＰＣその他の通信機能を有する情報端末と、テレビ、モニタ装置、コンピュータ装置その他の通信機能を有する電子機器とに適用することができる。
【符号の説明】
【００７７】
１００  携帯電話機、１１１，１６１  ディスプレイ、１１２，１６２  キー、１１３，１６３  メモリ、１１４，１６４  スピーカ、１１５  イヤーピース端子、１１６，１６６  外部接続端子、１１７  モータ、１１８  通信部、１５０  テレビ、１６５  ヘッドホン端子、１６７  受光部、１６８  チューナ、１９０  ケーブル、４００  ヘッドホン。
【図１】
2013090081.tif 000003
【図２】
2013090081.tif 000004
【図３】
2013090081.tif 000005
【図４】
2013090081.tif 000006
【図５】
2013090081.tif 000007